(57)【要約】【課題】  本発明においては、ノイズ（スミア）成分の発生を抑制することができ、良好な画質が得られる固体撮像素子を提供する。【解決手段】  マトリクス状に配置された受光センサ部２と、受光センサ部２から読み出された信号電荷を転送する垂直転送部３とを少なくとも有し、中央部の２つの受光センサ部列１１Ａ，１１Ｂの間を境界として、各受光センサ部列１１Ａ，１１Ｂ，１２Ａ，１２Ｂの受光センサ部２から信号電荷が読み出される垂直転送部３が、それぞれ各受光センサ部列１１Ａ，１１Ｂ，１２Ａ，１２Ｂに対して境界側に配置されている固体撮像素子１を構成する。【選択図】        図１
2005051176.tif 000002
【特許請求の範囲】
【請求項１】
マトリクス状に配置された受光センサ部と、
前記受光センサ部の列に平行に延びて形成され、前記受光センサ部から読み出された信号電荷を転送する垂直転送部とを少なくとも有して成る固体撮像素子であって、
中央部の２つの受光センサ部列の間を境界として、各受光センサ部列の受光センサ部から信号電荷が読み出される前記垂直転送部が、それぞれ前記各受光センサ部列に対して前記境界側に配置されている
ことを特徴とする固体撮像素子。
【請求項２】
前記中央部の２つの受光センサ部列において、前記２つの受光センサ部列の間に設けられた１つの垂直転送部を共有すると共に、共有する前記垂直転送部に前記信号電荷が読み出される方の受光センサ部列が切り替えられることを特徴とする請求項１に記載の固体撮像素子。
【請求項３】
フィールド毎に、前記受光センサ部列が切り替えられることを特徴とする請求項２に記載の固体撮像素子。
【請求項４】
前記中央部の２つの受光センサ部列において、前記２つの受光センサ部列の間に２つの垂直転送部が設けられ、前記境界が前記２つの垂直転送部の間にあることを特徴とする請求項１に記載の固体撮像素子。
【発明の詳細な説明】
【技術分野】
【０００１】
本発明は、例えばＣＣＤ固体撮像素子等の、電荷転送部を有して成る固体撮像素子に関する。
【背景技術】
【０００２】
エリアセンサとして用いられる、マトリクス状に多数の受光センサ部が形成されて成るＣＣＤイメージセンサ（ＣＣＤ固体撮像素子）においては、受光センサ部の各列の一側にそれぞれ垂直転送レジスタが設けられた構造となっている。
【０００３】
そして、受光センサ部と垂直転送レジスタの間の読み出しゲート部を通じて、受光センサ部で光電変換・蓄積された信号電荷が、垂直転送レジスタに読み出されるようになっている（例えば特許文献１参照。）。
【０００４】
また、それぞれの受光センサ部列と、その他方の側の垂直転送レジスタとの間にはチャネルストップ領域が形成されて、受光センサ部から他方の側の垂直転送レジスタに信号電荷が入り込むことがないようにしている。
【特許文献１】特開平５−１６８０５０号公報（図１等）
【発明の開示】
【発明が解決しようとする課題】
【０００５】
ところで、ＣＣＤ撮像装置を横から見た平面図を図７に示すように、ＣＣＤイメージセンサ５１に入射する入射光Ｌは、絞り５２の開口を通ってから放射状に散乱して拡がるため、図中左右端に近い受光センサ部では、斜めに入射する光が多くなる。
【０００６】
ここで、図７中破線で示す左右端付近の画素の断面図を図８に示す。左端付近５３Ａの画素の断面図を図８Ａに示し、右端付近５３Ｂの画素の断面図を図８Ｂに示す。
【０００７】
図８Ａに示すように、左端付近５３Ａの画素では、右から斜めに受光センサ部（フォトセンサ）５４に入射する入射光Ｌが多くなる。そして、遮光膜５５のエッジよりも外側から入射した入射光が例えば遮光膜５５と基板との間に漏れこんで、遮光膜５５と基板面で反射を繰り返すことにより、転送チャネル領域５６の方に向かっていく。これにより、転送チャネル領域５６の近傍で光電変換され電荷を生じる。この電荷のうち、垂直転送レジスタの転送チャネル領域５６に混入した電荷は、信号電荷に対してノイズ（スミア）成分になる。
【０００８】
図８Ｂに示すように、右端付近５３Ｂの画素では、左から斜めに受光センサ部（フォトセンサ）５４に入射する入射光Ｌが多くなる。そして、遮光膜５５のエッジよりも外側から入射した入射光が例えば遮光膜５５と基板との間に漏れこんで、遮光膜５５と基板面で反射をしても、チャネルストップ領域５７により電荷の混入を防ぐため、ノイズ（スミア）成分の発生が抑制される。
【０００９】
上述のように、左端付近５３Ａの画素では、遮光膜のエッジ外側からの入射光による光電変換が起こりやすい。
そして、有効画素領域（撮像領域）の中心を境として図７中左側の画素、即ち入射光Ｌの広がる方向と同一方向側に垂直転送レジスタの転送チャネル領域５６が配置されている画素では、程度の違いはあるが、左端付近５３Ａの画素と同様のノイズ（スミア）成分の問題を生じることになる。
【００１０】
また、最近では、携帯電話等に搭載されたカメラにおいて、ＣＣＤ撮像装置のモジュールが用いられている。このモジュールでは軽量化等の目的で、構成の簡略化が行われ、例えば、通常のカメラに用いられるような開口が可変である絞りを用いないで、電子シャッターのみで光量の調節を行うようにしている。
このような構成では、絞りの開口が一定であり、開口を狭めて入射する光量を制限することはできないため、光量が非常に多いときにスミア成分を発生しやすくなる。
【００１１】
上述した問題の解決のために、本発明においては、ノイズ（スミア）成分の発生を抑制することができ、良好な画質が得られる固体撮像素子を提供するものである。
【課題を解決するための手段】
【００１２】
本発明の固体撮像素子は、マトリクス状に配置された受光センサ部と、受光センサ部の列に平行に延びて形成され受光センサ部から読み出された信号電荷を転送する垂直転送部とを少なくとも有して成る固体撮像素子であって、中央部の２つの受光センサ部列の間を境界として、各受光センサ部列の受光センサ部から信号電荷が読み出される垂直転送部が、それぞれ各受光センサ部列に対して境界側に配置されているものである。
【００１３】
上述の本発明の固体撮像素子の構成によれば、中央部の２つの受光センサ部列の間を境界として、各受光センサ部列の受光センサ部から信号電荷が読み出される垂直転送部が、それぞれ各受光センサ部列に対して境界側に配置されていることにより、各受光センサ部列に対応して信号電荷が読み出される各垂直転送部が、境界側即ち撮像領域（有効画素領域）の内側に配置されている。入射光は、放射状に散乱して、全体として外側に向かうように入射するため、特に端部付近の画素では外側に向かうように斜めに入射する光が多くなるが、受光センサ部に対して信号電荷が読み出される垂直転送部が内側に配置されているので、外側の垂直転送部との間には例えばチャネルストップ領域があり、斜めに入射した光の漏れこみにより垂直転送部にノイズ（スミア）成分となる電荷を発生することを抑制することが可能になる。
【発明の効果】
【００１４】
上述の本発明によれば、斜めに入射した光の漏れこみにより垂直転送部にノイズ（スミア）成分となる電荷を発生することを抑制することが可能になる。
これにより、良好な画質が得られる固体撮像素子を構成することができる。
【００１５】
また、絞り等の固体撮像装置の構成を簡略化しても、良好な画質を得ることが可能になるため、固体撮像装置の小型化・軽量化を図ることが可能になる。
【００１６】
また、上述の本発明において、中央部の２つの受光センサ部列の間に設けられた１つの垂直転送部を中央部の２つの受光センサ部列で共有すると共に、共有する前記垂直転送部に信号電荷が読み出される方の受光センサ部列が切り替えられる構成としたときには、撮像領域（有効画素領域）全体にわたって、画素ピッチを一定に保つことができる。
【００１７】
また、上述の本発明において、中央部の２つの受光センサ部列の間に２つの垂直転送部が設けられ、境界がこれら２つの垂直転送部の間にある構成としたときには、全ての画素の信号電荷を読み出すことが可能になるため、補間の処理を行う必要がなくなり、また全画素読み出しを行う場合にも適用することが可能になる。
【発明を実施するための最良の形態】
【００１８】
本発明の一実施の形態の固体撮像素子の概略構成図（平面図）を図１に示す。
を示す。本実施の形態は、本発明をＣＣＤ固体撮像素子に適用したものである。
【００１９】
この固体撮像素子１は、マトリクス状に配置された多数の受光センサ部（フォトセンサ）２と、受光センサ部２の列と平行に垂直方向Ｖに延びる垂直転送レジスタ３と、垂直転送レジスタ３の一端に接続されて水平方向Ｈに延びる水平転送レジスタ５と、出力部としてフローティングディフュージョンアンプ６とを有して構成されている。また、図示しないが、全体を覆って遮光膜が設けられており、受光センサ部２上では遮光膜に開口が形成されて光が受光センサ部２に入射することができるようになっている。
【００２０】
受光センサ部２と垂直転送レジスタ３との間には、図示しないが読み出しゲート部又はチャネルストップ領域が設けられる。読み出しゲート部を通じて、受光センサ部２において光電変換・蓄積された信号電荷が垂直転送レジスタ３に読み出される。また、チャネルストップ領域により、電荷が反対側の垂直転送レジスタ３に入り込むことが防止される。
【００２１】
マトリクス状に配置された受光センサ部２の外側には、ＯＰＢ（オプティカルブラック）部の画素４が設けられている。ＯＰＢ部の画素４は、内部の構造は受光センサ部２の画素と同様になっているが、遮光膜の開口が設けられていないため、光が入射しないようになっている。図１では、上下左右にそれぞれ１画素ずつＯＰＢ部の画素４が設けられている。なお、受光センサ部２列と同様に、ＯＰＢ部の画素４のみの画素列に対しても、垂直転送レジスタ３が設けられている。
【００２２】
垂直転送レジスタ３では、受光センサ部２から読み出しゲート部を通じて読み出された信号電荷が図中下側に転送され、垂直転送レジスタ３の端に接続された水平転送レジスタ５に送られる。水平転送レジスタ５では、垂直転送レジスタ３から受け取った信号電荷が図中左側に転送され、水平転送レジスタ５の端に接続されたフローティングディフュージョンアンプ６に送られる。そして、フローティングディフュージョンアンプ６において、信号電荷が電圧に変換され、変換された電圧がＣＣＤ出力として出力される。
【００２３】
受光センサ部２では、上方に図示しないカラーフィルターが設けられることにより、所定の色の情報が得られる。
本実施の形態では、原色系のカラーフィルター、即ち赤Ｒ，緑Ｇ，青Ｂの３色のカラーフィルターを用いており、これら３色の情報が得られる。そして、図１に示すように、緑Ｇ及び青Ｂのカラーフィルターが配置された列と、赤Ｒ及び緑Ｇのカラーフィルターが配置された列とが、１つ置きに交互に並んでいる。さらに、２行×２列の４画素を単位とした繰り返しパターンとなっている。これにより、いわゆるＲＧＢベイヤー配列方式の配列パターンとなっている。
【００２４】
なお、図１では、受光センサ部２を５行×４列の２０画素分図示しているが、実際にはもっと多数の画素（例えば数百列、数百行の画素）が設けられて固体撮像素子１が構成される。
【００２５】
本実施の形態では、特に、中央部の２つの受光センサ部２列１１Ａ，１１Ｂが、その間の１つの垂直転送レジスタ３（３Ｘ）を共有し、この垂直転送レジスタ３Ｘに左右の列の画素から信号電荷が読み出される構成となっている。即ちこの垂直転送レジスタ３Ｘの左右両側に読み出しゲート部が設けられる。
また、中央部の２列以外の受光センサ部列については、左側の受光センサ部列１２Ａでは右側に（図示しない読み出しゲート部を介して）垂直転送レジスタ３があり、右側の受光センサ部列１２Ｂでは左側に（図示しない読み出しゲート部を介して）垂直転送レジスタ３がある構成となっている。即ち、受光センサ部列１２Ａ，１２Ｂに対して、それぞれの中央部側（内側）に垂直転送レジスタ３が配置されている。ＯＰＢ部の画素４のみの画素列についても同様の配置になっている。
これにより、撮像領域（有効画素領域）の中心（垂直転送レジスタ３Ｘ）において対称な配置になっている。また、ＯＰＢ部の画素の画素列も含めた６つの画素列に対して、５本の垂直転送レジスタ３が設けられている。
【００２６】
このように構成されていることにより、例えば、遮光膜のエッジよりも外側からの斜め入射光が入ってきた場合には、垂直転送レジスタ３がフォトセンサに対して撮像領域（有効画素領域）の中心部側に配置されているため、垂直転送レジスタ３とは反対側（外側）、即ちチャネルストップ領域側に入射することになる。このため、入射光が垂直転送レジスタ３の転送チャネル領域内で光電変換されることはなく、信号電荷に対してノイズ（スミア）成分となる電荷の発生を抑制することが可能になる。
【００２７】
また、本実施の形態では、中央の垂直転送レジスタ３Ｘを２つの受光センサ部列１１Ａ，１１Ｂで共有しているため、信号電荷の読み出し方法を、従来のＣＣＤ固体撮像素子とは異ならせる。
即ち、垂直転送レジスタ３Ｘの左右の受光センサ部列１１Ａ，１１Ｂにおいては、奇数フィールド時（下から奇数行目の画素から信号電荷が読み出される時）と偶数フィールド時（下から偶数行目の画素から信号電荷が読み出される時）とで、即ちフィールド毎に、信号電荷を読み出す受光センサ部列１１Ａ或いは１１Ｂが切り替えられる。
具体的には、例えば、奇数フィールド時には、図２Ａに示すように左の受光センサ部列１１Ａから中央の垂直転送レジスタ３Ｘに信号電荷を読み出し、偶数フィールド時には、図２Ｂに示すように、右の受光センサ部列１１Ｂから中央の垂直転送レジスタ３Ｘに信号電荷を読み出す。また、いずれの受光センサ部列１１Ａ，１１Ｂについても、緑Ｇの画素の信号電荷だけが読み出され、赤Ｒや青Ｂの画素の信号電荷は読み出されない。
【００２８】
２つの受光センサ部列１１Ａ，１１Ｂ以外の受光センサ部列１２Ａ，１２Ｂでは、奇数フィールド時と偶数フィールド時とで信号電荷が読み出される画素が変わるものの、信号電荷が読み出される垂直転送レジスタ３は同じ中央部側（内側）の垂直転送レジスタである。
【００２９】
中央の受光センサ部列１１Ａ，１１Ｂにおいて、読み出されない赤Ｒ及びＢ青の画素の信号電荷は、垂直ブランキング期間において掃き出される。その代わりに、この読み出されない画素の分の画像信号は、後段の処理によって補間される。
【００３０】
このように、感度のよい緑Ｇの画素の信号電荷を有効に使用することにより、無駄なゲインによるノイズの発生を抑制できるという利点がある。
【００３１】
上述の実施の形態の固体撮像素子１によれば、中央部の２つの受光センサ部列１１Ａ，１１Ｂの間に配置された垂直転送レジスタ３Ｘを、２つの受光センサ部列１１Ａ，１１Ｂで共有して、それぞれの受光センサ部列１１Ａ，１１Ｂから信号電荷が間にある垂直転送レジスタ３Ｘに読み出される構成となっている。また、中央部以外の受光センサ部列１２Ａ，１２Ｂにおいては、受光センサ部列１２Ａ，１２Ｂの中央部側（内側）に配置された垂直転送レジスタ３に信号電荷が読み出される構成となっている。
即ち、信号電荷が読み出される垂直転送レジスタ３がそれぞれの受光センサ部列１１Ａ，１１ｂ、１２Ａ，１２Ｂの内側に配置されている。言い換えれば、中央部の２つの受光センサ部列１１Ａ，１１Ｂの間を境界（本実施の形態の固体撮像素子１では撮像領域の中心に一致する）として、各受光センサ部列１１Ａ，１１Ｂ，１２Ａ，１２Ｂの受光センサ部２から信号電荷が読み出される垂直転送レジスタ３が、それぞれ各受光センサ部列１１Ａ，１１Ｂ，１２Ａ，１２Ｂに対して境界側に配置されている。
【００３２】
これにより、（例えば遮光膜のエッジよりも外側から）斜めに入射した光が垂直転送レジスタ３の転送チャネル領域に入り込まないようにすることができ、ノイズ（スミア）成分の発生を抑制することができる。
【００３３】
従って、本実施の形態によれば、ノイズ（スミア）成分による画質の低下を抑制して、良好な画質が得られる固体撮像素子１を構成することができる。
【００３４】
また、固体撮像装置のモジュールのように、開口が固定された絞りしかない場合でも、垂直転送レジスタ３の転送チャネル領域への入射光の漏れこみを抑制することができるため、ノイズ（スミア）成分による画質の低下を抑制することができる。これにより、絞り等の固体撮像装置の構成を簡略化して、固体撮像装置の小型化・軽量化を図ることが可能になる。
【００３５】
なお、本実施の形態の構成では、共有する垂直転送部３Ｘに信号電荷が読み出される方の受光センサ部列１１Ａ，１１Ｂが切り替えられる構成となっているため、読み出されない画素の信号を補間する処理を行う必要があるが、撮像領域（有効画素領域）全体にわたって画素ピッチを一定に保つことが可能になる。
【００３６】
次に、本発明の他の実施の形態の固体撮像素子の概略構成図（平面図）を図３に示す。この固体撮像素子１１は、受光センサ部２の各列（１１Ａ，１１Ｂ，１２Ａ，１２Ｂ）及び垂直転送レジスタ３の配置関係は、図１に示した実施の形態の固体撮像素子１と同様となっている。即ち、中央部の２つの受光センサ部列１１Ａ，１１Ｂが１本の垂直転送レジスタ３Ｘを共有し、他の受光センサ部列１２Ａ，１２Ｂではそれぞれの中央部側（内側）に配置された垂直転送レジスタ３に（図示しない読み出しゲート部を介して）信号電荷が読み出される。
【００３７】
本実施の形態の固体撮像素子１１では、補色系のカラーフィルター（イエローＹ、マゼンタＭ、シアンＣ、グリーンＧ）を使用して、配列パターンとして補色市松配列方式を採用している。そして、４行×２列の８画素を単位とした繰り返しパターン（下から奇数列目は同じ配列で、偶数列目は１つ置きに１列ずれていくパターン）となっている。
また、図３では、受光センサ部２を８行×６列の４８画素として示している。
その他の構成は、図１に示した固体撮像素子１と同様であるので、同一符号を付して重複説明を省略する。
【００３８】
続いて、本実施の形態の固体撮像素子１１における信号電荷の読み出し方法について説明する。なお、以下の各図において、４列分の画素について図示して説明する。
【００３９】
まず、フレーム読み出しの場合を、図４Ａ及び図４Ｂに示す。奇数フィールド時には、図４Ａに示すように、垂直転送レジスタ３Ｘに、その左の受光センサ部列１１ＡからイエローＹの画素の信号電荷が読み出される。偶数フィールド時には、図４Ｂに示すように、その右の受光センサ部列１１ＢからマゼンタＭ及びグリーンＧの画素の信号電荷が読み出される。読み出されない受光センサ部列の分は、先の実施の形態と同様に、後段の処理により補間される。その他の受光センサ部列１２Ａ，１２Ｂにおいては、下から奇数行目或いは偶数行目の画素の信号電荷が、中央部側（内側の）垂直転送レジスタ３に読み出される。
【００４０】
次に、フィールド読み出しの場合を、図５Ａ及び図５Ｂに示す。奇数フィールド時には、図５Ａに示すように、垂直転送レジスタ３Ｘに、その左の受光センサ部列１１Ａから信号電荷が読み出されて２行毎に加算される。偶数フィールド時には、図５Ｂに示すように、垂直転送レジスタ３Ｘに、その右の受光センサ部列１１Ｂから信号電荷が読み出されて２行毎に加算される。読み出されない受光センサ部列の分は、後段の処理により全ての画素の信号が補間される。その他の受光センサ部列１２Ａ，１２Ｂにおいては、下から奇数行目の画素の信号電荷及び偶数行目の画素の信号電荷が、中央部側（内側の）垂直転送レジスタ３に読み出されて加算される。
【００４１】
そして、フレーム読み出しの場合も、フィールド読み出しの場合も、いずれも共有する垂直転送レジスタ３Ｘに信号電荷が読み出される方の受光センサ部列１１Ａ，１１Ｂが、奇数フィールド時と偶数フィールド時とで、即ちフィールド毎に、切り替えられる。
【００４２】
上述の実施の形態の固体撮像素子１１によれば、先の実施の形態の固体撮像素子１と同様に、信号電荷が読み出される垂直転送レジスタ３がそれぞれの受光センサ部列１１Ａ，１１ｂ、１２Ａ，１２Ｂの内側に配置されており、（例えば遮光膜のエッジよりも外側から）斜めに入射した光が垂直転送レジスタ３の転送チャネル領域に入り込まないようにすることができ、ノイズ（スミア）成分の発生を抑制することができる。
【００４３】
従って、ノイズ（スミア）成分による画質の低下を抑制して、良好な画質が得られる固体撮像素子１１を構成することができる。
また、絞り等の固体撮像装置の構成を簡略化して、固体撮像装置の小型化・軽量化を図ることが可能になる。
【００４４】
次に、本発明のさらに他の実施の形態の固体撮像素子の概略構成図（平面図）を図６に示す。
この固体撮像素子２１は、中央部の撮像領域（有効画素領域）の中心を挟む２つの受光センサ部列１１Ａ，１１Ｂの間に、２本の垂直転送レジスタ３Ａ，３Ｂが設けられている。そして、左側の受光センサ部列１１Ａの受光センサ部２と左側の垂直転送レジスタ３Ａとの間、並びに右側の受光センサ部列１１Ｂの受光センサ部２と右側の垂直転送レジスタ３Ｂとの間には、それぞれ図示しないが読み出しゲート部が設けられる。
図中矢印で示すように、これらのうち左側の垂直転送レジスタ３Ａには、左の受光センサ部列１１Ａの受光センサ部２から信号電荷が読み出される。同様に、右側の垂直転送レジスタ３Ｂには、右の受光センサ部列１１Ｂから信号電荷が読み出される。
その他の受光センサ部列１２Ａ，１２Ｂでは、それぞれ中央部側（内側）にある垂直転送レジスタ３に信号電荷が読み出される。これにより、ＯＰＢ部の画素の画素列も含めた６つの画素列に対して、６本の垂直転送レジスタ３が設けられている。
その他の構成は、図１に示した固体撮像素子１と同様であるので、同一符号を付して、重複説明を省略する。
【００４５】
上述の実施の形態の固体撮像素子２１によれば、中央部の２つの受光センサ部列１１Ａ，１１Ｂの間に２本の垂直転送レジスタ３Ａ，３Ｂが設けられており、全ての受光センサ部列１１Ａ，１１Ｂ，１２Ａ，１２Ｂに対して１対１で垂直転送レジスタ３が設けられていると共に、全ての受光センサ部列１１Ａ，１１Ｂ，１２Ａ，１２Ｂにおいて、受光センサ部２の信号電荷が中心側即ち内側にある垂直転送レジスタ３に読み出される構成となっている。言い換えれば、中央部の２つの受光センサ部列１１Ａ，１１Ｂの間（２本の垂直転送レジスタ１１Ａ及び１１Ｂがある）を境界として、各受光センサ部列１Ａ，１１Ｂ，１２Ａ，１２Ｂに対して信号電荷が読み出される垂直転送レジスタ３が境界側に配置されている。
【００４６】
これにより、信号電荷が読み出される垂直転送レジスタ３がそれぞれの受光センサ部列１１Ａ，１１Ｂ、１２Ａ，１２Ｂの内側に配置されており、図１の固体撮像素子１と同様に、（例えば遮光膜のエッジよりも外側から）斜めに入射した光によるノイズ（スミア）成分の発生を抑制することができる。
【００４７】
従って、ノイズ（スミア）成分による画質の低下を抑制して、良好な画質が得られる固体撮像素子２１を構成することができる。
また、絞り等の固体撮像装置の構成を簡略化して、固体撮像装置の小型化・軽量化を図ることが可能になる。
【００４８】
また、本実施の形態の固体撮像素子２１によれば、従来の固体撮像素子の構成と同様の駆動方法により信号電荷の読み出しを行うことができるため、駆動のための構成を変更する必要がない。
【００４９】
また、本実施の形態の固体撮像素子２１では、全ての画素の信号電荷を読み出すことができるので、信号電荷が読み出されない画素の補間処理を行う必要がなくなることから、全画素読み出しを行う場合にも適用することができる。
【００５０】
なお、中央部では、２つの受光センサ部列１１Ａ，１１Ｂの間に２本の垂直転送レジスタ３Ａ，３Ｂが配置されているため、画素ピッチが他の部分よりも大きくなっている。従って、撮像領域（有効画素領域）全体で画素ピッチを一定にすることはできない。
【００５１】
なお、上述の各実施の形態では、いずれも受光センサ部列の数が偶数であったため、撮像領域（画像処理領域）の中心は受光センサ部列の間になっており、ここに垂直転送レジスタ３を配置することができた。
【００５２】
これに対して、受光センサ部列の数が奇数である場合には、撮像領域（画像処理領域）の中心は受光センサ部列になるため、そこには垂直転送レジスタは配置できない。そこで、本発明を受光センサ部列の数が奇数（２ｎ−１列）である固体撮像素子に適用する場合には、例えば、中央部の２つの受光センサ部列として、中央の受光センサ部列（ｎ列目）とその左又は右の受光センサ部列（ｎ−１列目又はｎ＋１列目）を用いて、２つの受光センサ部列の間において、垂直転送レジスタを両側で共有する構成、或いは垂直転送レジスタを２本設ける構成、とすればよい。この場合には、右側の垂直転送レジスタに信号電荷が読み出される受光センサ部列の数と、左側の垂直転送レジスタに信号電荷が読み出される受光センサ部列の数が１列異なるだけであり、ノイズ（スミア）成分を抑制することができる効果は、受光センサ部列の数が偶数である場合と同様に得られる。
【００５３】
また、本発明において、２つの受光センサ部列とその間の垂直転送レジスタとから成る中央部は、厳密に撮像領域（画像処理領域）の中心を含んでいる場合に限定されるものではなく、中心から水平方向に多少ずれている場合も含まれる。特に、画素数が多く、列数も多いときには、中央部が撮像領域（画像処理領域）中心から数列程度ずれていても、ノイズ（スミア）成分を抑制する効果があまり低下しない。
【００５４】
さらに、上述の各実施の形態では、垂直転送部及び水平転送部として、ＣＣＤ構造を有する垂直転送レジスタ及び水平転送レジスタが構成されたＣＣＤ固体撮像素子に、本発明を適用した場合であったが、本発明では、信号電荷を転送する垂直転送部及び水平転送部がその他の構成である場合にも適用することが可能である。
【００５５】
本発明は、上述の実施の形態に限定されるものではなく、本発明の要旨を逸脱しない範囲でその他様々な構成が取り得る。
【図面の簡単な説明】
【００５６】
【図１】本発明の一実施の形態の固体撮像素子の概略構成図（平面図）である。
【図２】Ａ、Ｂ  図１の固体撮像素子の信号電荷の読み出し方法を説明する図である。
【図３】本発明の他の実施の形態の固体撮像素子の概略構成図（平面図）である。
【図４】Ａ、Ｂ  図１の固体撮像素子の信号電荷のフレーム読み出しの場合の読み出し方法を説明する図である。
【図５】Ａ、Ｂ  図１の固体撮像素子の信号電荷のフィールド読み出しの場合の読み出し方法を説明する図である。
【図６】本発明のさらに他の実施の形態の固体撮像素子の概略構成図（平面図）である。
【図７】ＣＣＤ固体撮像装置を横から見た平面図である。
【図８】Ａ  図７の左端付近の画素の拡大断面図である。            Ｂ  図７の右端付近の画素の拡大断面図である。
【符号の説明】
【００５７】
１，１１，２１  固体撮像素子、２  受光センサ部、３，３Ｘ，３Ａ，３Ｂ  垂直転送レジスタ、５  水平転送レジスタ、１１Ａ，１１Ｂ，１２Ａ，１２Ｂ  受光センサ部列
【図１】
2005051176.tif 000003
【図２】
2005051176.tif 000004
【図３】
2005051176.tif 000005
【図４】
2005051176.tif 000006
【図５】
2005051176.tif 000007
【図６】
2005051176.tif 000008
【図７】
2005051176.tif 000009
【図８】
2005051176.tif 000010